(57)【要約】【課題】  高価な電磁石構成や複雑なリンク機構を用いなくとも可動ミラーのバウンドを効率的に抑制することができる可動ミラー駆動機構及びカメラを提供する。【解決手段】  ファインダー観察位置と退避位置の間を往復回動可能な可動ミラー２０と、可動ミラー２０を観察位置に保持する第１レバー１８と、第１レバー１８に当接して可動ミラー２０が退避位置の方向に回動することを許容する第１カム１６とを備え、可動ミラー２０が観察位置に復帰した際に第１レバー１８が可動ミラー２０を保持するようにしたことを特徴とする。【効果】  高価な電磁石構成や複雑なリンク機構を用いなくとも可動ミラーのバウンドを効率的に抑制することができる可動ミラー駆動機構及びカメラを提供することができる。【選択図】      図２
2005134766.tif 000002
【特許請求の範囲】
【請求項１】
ファインダー観察位置と退避位置の間を往復回動可能な可動ミラー２０と、
前記可動ミラー２０を観察位置に保持する第１レバー１８と、
前記第１レバー１８に当接して前記可動ミラー２０が退避位置の方向に回動することを許容する第１カム１６と、
を備え、
前記可動ミラー２０が観察位置に復帰した際に前記第１レバー１８が可動ミラー２０を保持するようにしたことを特徴とする可動ミラー駆動機構。
【請求項２】
前記第１レバー１８による前記可動ミラー２０の観察位置での保持は、前記第１レバー１８に設けた係合部１９と前記可動ミラー２０に設けた被係合部２０ａとが係合することにより行なわれ、
前記可動ミラー２０の退避位置への移動開始時から観察位置への復帰時までの間に、前記第１レバー１８の回動により前記係合部１９を前記可動ミラー２０の被係合部２０ａの回動軌跡内から一度外れるように移動させることを特徴とする請求項１に記載の可動ミラー駆動機構。
【請求項３】
前記可動ミラー２０を退避位置の方向に付勢する第１付勢手段３１と、
前記第１付勢手段３１と連結する第３レバー１７と、
前記第３レバー１７と当接することにより、前記第１付勢手段３１の付勢力を増大させると共に、前記第３レバー１７との当接を解除することにより、前記第１付勢手段３１の付勢力を解放する第３カム１５と
を備え、
前記可動ミラー２０が観察位置にあるとき、前記第３レバー１７と前記第３カム１５との当接を解除して前記第１付勢手段３１の付勢力を解放することを特徴とする請求項１又は２に記載の可動ミラー駆動機構。
【請求項４】
前記可動ミラー２０を観察位置の方向に付勢する第２付勢手段３５と、
前記可動ミラー２０と係合してこれを退避位置に保持する第２レバー１３と
前記第２レバー１３との当接を解除することにより、該可動ミラー２０を前記第２付勢手段３５の付勢力により観察位置の方向へ回動させる第２カム１１と、
を備え、
前記可動ミラー２０が前記第２レバー１３によって退避位置に保持されているとき、前記第２カム１１と前記第２レバー１３との当接を解除して前記第２付勢手段３５の付勢力を解放することを特徴とする請求項１ないし３の何れかに記載の可動ミラー駆動機構。
【請求項５】
前記可動ミラー２０が退避位置に移動した際に、前記第２レバー１３が前記第２カム１１と当接していることにより可動ミラー２０のバウンドを防止するようにしたことを特徴とする請求項４に記載の可動ミラー駆動機構。
【請求項６】
前記可動ミラー２０を退避位置に移動させる駆動力により前記第２付勢手段３５の付勢力を増大させることを特徴とする請求項２または４に記載の可動ミラー駆動機構。
【請求項７】
前記第１カム１６、前記第２カム１１及び前記第３カム１５は、常に一定方向に回転することを特徴とする請求項１ないし６の何れかに記載の可動ミラー駆動機構。
【請求項８】
前記第１カム１６及び前記第３カム１５を備えた第１ギヤ１４と、
前記第２カム１１を備えた第２ギヤ１０と、
を備え、
前記第１ギヤ１４と前記第２ギヤ１０が噛合していることを特徴とする請求項７に記載の可動ミラー駆動機構。
【請求項９】
前記第２ギヤ１０に可動ミラー駆動機構の位置検出手段を設けたことを特徴とする請求項８に記載の可動ミラー駆動機構。
【請求項１０】
ファインダー観察位置と退避位置の間を往復回動可能な可動ミラー２０と、
前記可動ミラー２０を退避位置の方向に付勢する第１付勢手段３１と、
前記可動ミラー２０と係合してこれを退避位置に保持する第２レバー１３と
前記第２レバー１３との当接を解除することにより、該第２レバー１３による前記可動ミラー２０の保持を解除し、該可動ミラー２０を前記第２付勢手段３５の付勢力により観察位置方向へ回動させる第２カム１１と、
を備え、
前記可動ミラー２０が退避位置に移動した際に前記第２レバー１３が該可動ミラー２０を保持するようにしたことを特徴とする可動ミラー駆動機構。
【請求項１１】
ファインダーと、可動ミラー駆動機構と、該可動ミラー駆動機構を駆動する駆動源とを有するカメラであって、
前記可動ミラー駆動機構は、
ファインダー観察位置と退避位置の間を往復回動可能な可動ミラー２０と、
前記可動ミラー２０を観察位置に保持する第１レバー１８と、
前記第１レバー１８に当接して前記可動ミラー２０が退避位置の方向に回動することを許容すると共に、該当接を解除した状態で前記可動ミラー２０の観察位置への回動時に可動ミラー２０と第１レバー１８との係合を許容する第１カム１６と、
を備え、
前記可動ミラー２０が観察位置に復帰した際に前記第１レバー１８が該可動ミラー２０を保持するようにしたことを特徴とするカメラ。
【請求項１２】
ファインダーと、可動ミラー駆動機構と、該可動ミラー駆動機構を駆動する駆動源とを有するカメラであって、
前記可動ミラー駆動機構は、
ファインダー観察位置と退避位置の間を往復回動可能な可動ミラー２０と、
前記可動ミラー２０を退避位置の方向に付勢する第１付勢手段３１と、
前記可動ミラー２０と係合してこれを退避位置に保持する第２レバー１３と
前記第２レバー１３との当接を解除することにより、該第２レバー１３による前記可動ミラー２０の保持を解除し、該可動ミラー２０を前記第２付勢手段３５の付勢力により観察位置方向へ回動させる第２カム１１と、
を備え、
前記可動ミラー２０が退避位置に移動した際に前記第２レバー１３が該可動ミラー２０を保持するようにしたことを特徴とするカメラ。
【発明の詳細な説明】
【技術分野】
【０００１】
本発明は、カメラに関するものであり、特に一眼レフカメラのミラーボックス内で昇降する可動ミラー駆動機構に関するものである。
【背景技術】
【０００２】
一眼レフカメラには可動ミラーが備えられており、この可動ミラーは、退避位置から移動して角度規制部材に当接して撮影光路内のファインダー観察位置に位置し、撮影時のレリーズ動作に連動して撮影光路外へ退避させられ、撮影終了後に撮影光路内のファインダー観察位置に復帰させられるようになっている(特許文献１、２参照)。
【０００３】
【特許文献１】特開昭６４−５１９２３号公報
【特許文献２】特開平４−２２９３５号公報
【発明の開示】
【発明が解決しようとする課題】
【０００４】
しかしながら、この可動ミラーは退避位置からファインダー観察位置へ移動し、ファインダー観察位置で角度規制部材に到達した際に、バウンドを少なからずとも生じる。このバウンドした可動ミラーは一時的に、ファインダーに行くべき光線を違った角度で反射してしまい、ファインダー像がブレてしまうという問題があった。このようなバウンドはファインダー観察画像の消失時間を短くするために可動ミラーの移動速度を速くしたカメラほど大きくなり、ファインダー観察状態等に顕著な悪影響を及ぼす。
【０００５】
このような可動ミラーのバウンドを抑えるため、例えば従来のカメラにおいては、可動ミラーの揺動はバネ力を用いて駆動しており、ファインダー観察位置から露光退避位置への揺動制御は、メカ部品の係合を電磁石の作動により解除し、チャージされたバネ力で可動ミラーをミラーアップさせ、ミラーアップ信号でシャッタを作動させた後に、同じくバネ力で可動ミラーを露光退避位置からファインダー観察位置へ揺動させるクイックリターン機構を用いているものがあった。
【０００６】
そして、このクイックリターン機構にて用いるバネのチャージは、モータにて駆動されていた。したがって、この種のカメラにおいては、モータの他に可動ミラー駆動用の高価な電磁石構成と、複雑なリンク機構を必要とするという問題があった。
【０００７】
そこで本発明は、上記問題点に鑑みて、高価な電磁石構成や複雑なリンク機構を用いなくとも可動ミラーのバウンドを効率的に抑制することができる可動ミラー駆動機構及びカメラを提供することを課題とするものである。
【課題を解決するための手段】
【０００８】
上記課題を解決するために、本発明の可動ミラー駆動機構は、
ファインダー観察位置と退避位置の間を往復回動可能な可動ミラー２０と、
前記可動ミラー２０を観察位置に保持する第１レバー１８と、
前記第１レバー１８に当接して前記可動ミラー２０が退避位置の方向に回動することを許容する第１カム１６と、
を備え、
前記可動ミラー２０が観察位置に復帰した際に前記第１レバー１８が可動ミラー２０を保持するようにしたことを特徴とするものである。
【０００９】
また本発明の可動ミラー駆動機構は、
ファインダー観察位置と退避位置の間を往復回動可能な可動ミラー２０と、
前記可動ミラー２０を退避位置の方向に付勢する第１付勢手段３１と、
前記可動ミラー２０と係合してこれを退避位置に保持する第２レバー１３と
前記第２レバー１３との当接を解除することにより、該第２レバー１３による前記可動ミラー２０の保持を解除し、該可動ミラー２０を前記第２付勢手段３５の付勢力により観察位置方向へ回動させる第２カム１１と、
を備え、
前記可動ミラー２０が退避位置に移動した際に前記第２レバー１３が該可動ミラー２０を保持するようにしたことを特徴とするものである。
【００１０】
また本発明のカメラは、
ファインダーと、可動ミラー駆動機構と、該可動ミラー駆動機構を駆動するモータとを有するカメラであって、
前記可動ミラー駆動機構は、
ファインダー観察位置と退避位置の間を往復回動可能な可動ミラー２０と、
前記可動ミラー２０を観察位置に保持する第１レバー１８と、
前記第１レバー１８に当接して前記可動ミラー２０が退避位置の方向に回動することを許容すると共に、該当接を解除した状態で前記可動ミラー２０の観察位置への回動時に可動ミラー２０と第１レバー１８との係合を許容する第１カム１６と、
を備え、
前記可動ミラー２０が観察位置に復帰した際に前記第１レバー１８が該可動ミラー２０を保持するようにしたことを特徴とするものである。
【００１１】
また本発明のカメラは、
ファインダーと、可動ミラー駆動機構と、該可動ミラー駆動機構を駆動するモータとを有するカメラであって、
前記可動ミラー駆動機構は、
ファインダー観察位置と退避位置の間を往復回動可能な可動ミラー２０と、
前記可動ミラー２０を退避位置の方向に付勢する第１付勢手段３１と、
前記可動ミラー２０と係合してこれを退避位置に保持する第２レバー１３と
前記第２レバー１３との当接を解除することにより、該第２レバー１３による前記可動ミラー２０の保持を解除し、該可動ミラー２０を前記第２付勢手段３５の付勢力により観察位置方向へ回動させる第２カム１１と、
を備え、
前記可動ミラー２０が退避位置に移動した際に前記第２レバー１３が該可動ミラー２０を保持するようにしたことを特徴とするものである。
【発明の効果】
【００１２】
このような本発明によれば、高価な電磁石構成や複雑なリンク機構を用いなくとも可動ミラーのバウンドを効率的に抑制することができる可動ミラー駆動機構及びカメラを提供することができる。
【発明を実施するための最良の形態】
【００１３】
以下、本発明の実施の形態について、図面に基づいて具体的に説明する。
図１ないし６は、本発明による可動ミラー駆動機構及びカメラの一実施の形態について説明するために参照する図である。
【００１４】
図１に示すカメラの可動ミラー駆動機構において、ミラー駆動ギヤ１０（第２ギヤ）は、図示していないモーター(駆動源、例えばコアドモーター)に設けられた減速ギヤにかみ合い、反時計回り方向に回転する。ミラー駆動ギヤ１０の表面側にはミラー駆動カム１１（第２カム）が一体的に形成され、裏面側には後述する位置検出用のブラシ（導電材にて形成）が固定されている。このミラー駆動ギヤ１０は、図示していない周囲のミラーボックスの一部に回転可能に支持されている。
【００１５】
また図２に示すように、ミラー駆動カム１１には、ミラー駆動レバー１３（第２レバー）を時計回り方向に回動させるための登りカム面１１ａ、ミラー駆動レバー１３の退避位置（可動ミラー２０の退避状態）を保つための平坦カム面１１ｂ、及びミラー駆動レバー１３の反時計回り方向への回動を許容する下りカム面１１ｃが形成されている。
【００１６】
ミラー駆動レバー１３は、図示していない周囲のミラーボックスの一部に回動可能に支持され、ミラー駆動カム１１のカムフオロアーとしての役目を持つ。すなわち、このミラー駆動レバー１３は、一端部１３ａがミラー駆動カム１１の登りカム面１１ａと慴接することにより時計回り方向への回動駆動を受け、平坦カム面１１ｂと慴接することによりその回動後の状態を保ち、そして下りカム面１１ｃの位相に一端部１３ａが到達することにより、反時計回り方向への回動（復帰）が許容される。
【００１７】
そして、このミラー駆動レバー１３の他端部１３ｂは、ミラー駆動カム１１の各カム面の回動位置に応じた制御を受けることにより、後述のミラーコロ２１を押動して可動ミラー２０の退避位置への回動（ミラーアップ）動作、ミラーコロ２１の押動を継続してミラーアップ状態の保持、ミラーコロ２１の押動を解除して可動ミラー２０のファインダー観察位置への回動復帰（ミラーダウン）の許容を行わせる。
【００１８】
ミラーアップチャージギヤ１４（第１ギヤ）は、ミラー駆動ギヤ１０と噛合して時計回り方向に回転するものであり、その表面側にはロックレバーカム１６（第１カム）が一体的に形成され、裏面側にはミラーアップチャージカム１５（第３カム）が一体的に形成されている。なお、このミラーアップチャージギヤは１４は、ミラー駆動ギヤ１０と１対１の回転伝達（減速比１．０）をするものであり、図示していない周囲のミラーボックスの一部に回転可能に支持されている。
【００１９】
ここにおいて、ロックレバーカム１６は、後述のロックレバー１８（第１レバー）を時計回り方向に回動させるための登りカム面１６ａ、ロックレバー１８の回動後の位置（ロックレバースプリング３３のチャージ状態）を保つための平坦カム面１６ｂ、及びロックレバー１８の反時計回り方向への回動を許容する下りカム面１６ｃが形成されている。
【００２０】
ミラーアップチャージカム１５には、後述のミラーアップチャージレバー１７（第３レバー）を反時計回り方向に回動させるための登りカム面１５ａ、ミラーアップチャージレバー１７の回動後の位置（ミラーアップスプリング３１のチャージ状態）を保つための平坦カム面１５ｂ、及びミラーアップチャージレバー１７の時計回り方向への回動を許容する下りカム面１５ｃが形成されている。
【００２１】
ロックレバー１８は、図示していない周囲のミラーボックスの一部に回動可能に支持され、ロックレバーカム１６のカムフオロアーとしての役目を持つ。すなわち、このロックレバー１８は一端部１８ａが、ロックレバーカム１６の登りカム面１６ａと当接することにより時計回り方向への回動を受け、平坦カム面１６ｂと当接することによりその回動後の状態を保ち、そして下りカム面１６ｃと当接することにより反時計回り方向への回動が許容される。
【００２２】
そして、このロックレバー１８には、ロックピン１９(係合部)がかしめられており、上述のロックカム１６の各カム面の回動位置に応じた制御を受けることにより、ロックピン１９が可動ミラー２０の爪部２０ａ(被係合部)の揺動軌跡内からその外側に離れて可動ミラー２０をミラーアップ可能状態にしたり、ロックピン１９が可動ミラー２０の爪部２０ａの揺動軌跡内に入り込んで、可動ミラー２０をミラーダウン状態に保持したりする。
【００２３】
ミラーアップチャージレバー１７は、図示していない周囲のミラーボックスの一部に回動可能に支持され、ミラーアップチャージカム１５のカムフオロアーとしての役目を持つ。すなわち、ミラーアップチャージレバー１７は、その一端部１７ａがミラーアップチャージカム１５の登りカム面１５ａと当接することにより、反時計回り方向への回動駆動を受け、上記平坦カム面１５ｂと当接することによりその回動後の状態を保ち、そして上記下りカム面１５ｃの位相に一端部１７ａが到着することにより、時計回り方向への回動が許容される。
【００２４】
そして、このミラーアップチャージレバー１７の他端部１７ｂには、一端部が図示していない周囲のミラーボックスの一部に固定されているミラーアップスプリング３１（第１付勢手段）の他端部が掛けられている。また、別の他端部１７ｃにはミラーダウンスプリング３２の一端部が掛けられており、その他端部１７ｃは、ミラーダウンスプリング３２の他端部が掛けられているミラー駆動レバー１３の一端部１３ｃと接している。
【００２５】
ミラーアップチャージレバー１７は、ミラーアップチャージカム１５の各カム面の回動位置に応じた制御を受けることにより、ミラーアップスプリング３１とミラー駆動レバースプリング３２のチャージ状態の保持、及びミラーアップスプリング３１にチャージされた力によってミラー駆動レバー１３の一端部１３ｃを連動するミラーアップ動作を行わせる。
【００２６】
信号基板３４は、図示していない地板にネジ止め固定されている。この信号基板３４上には３本の位置検知用のパターン、すなわち図６に直線状に展延して示したグランドパターン３４ａ、動作終了検知パターン３４ｂ、動作状態検知パターン３４ｃが、円周方向に形成されている。この各パターン３４ａ，３４ｂ，３４ｃと、ミラー駆動ギヤ１０の裏面に固定されたブラシ１２との関係を、図６を用いて説明する。
【００２７】
ここで、このブラシ１２の両端部の各摺動部１２ａ，１２ｂの各々は、くし歯状に分割され、信号基板３４上の各パターン３４ａ，３４ｂ，３４ｃとの接触の確実性を高めている。また、このブラシ１２の摺動部１２ａ，１２ｂは、ミラー駆動ギヤ１０の回転軸の両側に３本ずつ配置されてバランスが取れるようになっている。
【００２８】
図６は、ミラーダウン状態を検出している位相を０°として、ミラー駆動ギヤ１０、ブラシ１２の回転角を直線状に展延した状態で表示している。ブラシ１２の摺動部１２ａ，１２ｂは、ミラー駆動ギヤ１０の反時計回り方向の回転に応じて０°から３６０°まで、静止した信号基板３４上の各パターン３４ａ，３４ｂ，３４ｃと摺動する。
【００２９】
図６にて、ブラシ１２がグランドパターン３４ａと動作終了検知パターン３４ｂの両方と接触し、動作終了検知パターン３４ｂの電位がグランドレベルに変化することによりミラーダウン完了を検出する。このときカメラ制御回路はミラーダウン完了状態を検知して、モータの回転駆動を停止制御する。
【００３０】
モータは瞬時に停止することができず、若干のオーバーランを生じることになり、ブラシ１２は動作終了検知パターン３４ｂの切り替わりから若干オーバーランして、０°付近で停止する。図２のミラー駆動ギヤ１０（ブラシ１２）の停止位置は、図６で０°の時の状態を示している。
【００３１】
図２にて明らかなように、ミラーアップチャージカム１５には上記モータのオーバーランを想定して、ミラーダウン完了状態を継続させる平坦カム面１５ｂが形成されており、該オーバーランに対処している。
【００３２】
図６にてブラシ１２がグランドパターン３４ａと動作終了検知パターン３４ｂと、動作状態検知パターン３４ｃのすべてと接触し、動作終了検知パターン３４ｂ、動作状態検知パターン３４ｃの電位がグランドレベルに変化することによりミラーアップ完了を検知する。
【００３３】
カメラ制御回路はミラーアップ完了を検知して、モータの回転駆動を停止制御する。モータは瞬時に停止することができず、若干のオーバーランを生じることになり、ブラシ１２は動作終了検知パターン３４ｂの切り替わりから若干オーバーランして、１７０°付近で停止する。
【００３４】
図４のミラー駆動ギヤ１０（ブラシ１２）の停止位置は、図６で１７０°の時の状態を示している。図４にて明らかなように、ミラー駆動カム１１には上記モータのオーバーランを想定して、ミラーダウン完了状態を継続させる平坦カム面１１ｂが形成されており、該オーバーランに対処している。
【００３５】
図６にて、ブラシ１２がグランドパターン３４ａと動作状態検知パターン３４ｃとの両方と接触し、動作状態検知パターン３４ｃの電位がグランドレベルに変化することにより、可動ミラー２０が撮影光路外へ退避したことを検知する。カメラ制御回路は、可動ミラー２０の撮影光路外への退避を検知して、図示していないシャッターを走行させる。
【００３６】
図６にて、ブラシ１２がグランドパターン３４ａと動作終了検知パターン３４ｃとの両方と接触している状態から、グランドパターン３４ａから離れ、動作状態検知パターン３４ｃの電位がハイレベルに変化することにより、可動ミラー２０が撮影光路内へ復帰したことを検知する。カメラ制御回路は可動ミラー２０の撮影光路内への復帰を検知して、ＡＥ、ＡＦの制御を開始する。
【００３７】
ここで、上述したミラー駆動ギヤ１０とミラーアップチャージギヤ１４の回転と、可動ミラー２０の動きの関係についてさらに全体的な説明を加えると、まず、重要なことは、全ての動作、すなわちミラーアップとミラーアップ時のバウンド防止、そしてミラーダウンとミラーダウン時のバウンド防止の全ては、モータの同一方向回転にて行われることである。
【００３８】
次は、ミラー駆動ギヤ１０とミラーアップチャージギヤ１４の回転を用いた可動ミラー駆動機構の各状態について、図に基づいて説明する。
【００３９】
図２は、カメラがファインダー観察状態にあるときの可動ミラー駆動機構を表している。ミラー駆動ギヤ１０とミラーアップチャージギヤ１４は、図６の約０°の位置で停止している。ミラーアップチャージレバー１７とミラー駆動レバー１３が同軸に軸支されている。
【００４０】
ミラーアップチャージレバー１７は、引っ張りバネであるミラーアップスプリング３１によって時計回り方向へ付勢されているが、そのカム接触面１７ａがミラーアップチャージカム１５の平坦カム面１５ｂによって支えられていることにより、図の状態で保持されている。
【００４１】
ミラー駆動レバー１３は、同軸に掛けられているミラー駆動レバースプリング３２によって反時計回り方向へ付勢されているが、その凸部１３ｃがミラーアップチャージレバー１７の凸部１７ｃに当接することにより図の状態で停止している。
【００４２】
可動ミラー２０は、回転軸２０ｂを介して図示していない周囲のミラーボックスの一部に軸支されている。可動ミラー２０は、図示していないミラーボックスの一部に軸支されたミラーダウンスプリング３５（第２付勢手段）によって時計回り方向へ付勢されているが、角度規制部材２２に当接することにより図の状態で停止している。
【００４３】
可動サブミラー２４は、回転軸２４ａで可動ミラー２０に軸支されている。可動サブミラー２４は、図示していないサブミラースプリングによって時計回り方向へ付勢されているが、角度規制部材２５に当接することにより図の状態で停止している。
【００４４】
バウンド防止部材としてのロックレバー１８は、回転軸１８ｂで図示していないミラーボックスの一部に軸支されている。このロックレバー１８は、同軸に掛けられているロックレバースプリング３３によって反時計回り方向へ付勢されているが、カム接触面１８ａがロックレバーカム１６の平坦カム面１６ｂによって支えられていることにより、図の状態に保持されている。
【００４５】
このときロックピン１９は、可動ミラー２０の爪部２０ａの揺動軌跡内からその外側へ離れているため、可動ミラー２０はミラーダウンスプリング３５に逆らって反時計回り方向に動くことが可能な状態となっている。
【００４６】
次に、可動ミラー駆動機構による可動ミラー２０の上昇動作について説明する。
まず、図示していないモータに通電することによって、ミラー駆動ギヤ１０を反時計回り方向に、ミラーアップチャージギヤ１４を時計回り方向に回転させる。このことによって可動ミラー２０を、ファインダー観察状態の位置から退避状態の位置へと駆動する。
【００４７】
すなわち、ミラーアップチャージギヤ１４が約１０°時計回り方向に回転すると、ミラーアップチャージレバー１７のカム接触面１７ａがミラーアップチャージカム１５の平坦カム面１５ｂから外れ、下りカム部１５ｃの位相に到達する。ミラーアップチャージレバー１７は、図３に示すように、ミラーアップチャージカム１５による支えから外れ、ミラーアップスプリング３１によって時計回り方向に回転を始める。
【００４８】
このときミラー駆動レバー１３は、凸部１３ｃがミラーアップチャージレバー１７の凸部１７ｃによって押されることによってミラーアップチャージレバー１７と一体となって回転する。また、同時にミラー駆動ギヤ１０も反時計回り方向に回転するため、ミラー駆動カム１１の登りカム面１１ａはミラー駆動レバー１３のカム接触面１３ａと接触、または少しの間隔を持って回転する。
【００４９】
このミラー駆動レバー１３の時計回り方向への回転によってその一端部１３ｂは、ミラーコロ２１を押動して可動ミラー２０をミラーダウンスプリング３５に逆らって反時計回り方向へ回転させ始める。可動サブミラー２４は、回転軸２４ａで可動ミラー２０に軸支されていると共に、回転軸２４ａ近傍の四角孔内に係合する、ミラーボックスの一部に固定されたカム(図示せず)により、可動ミラー２０が退避状態まで上昇したときは、可動サブミラー２４は反時計回り方向に回転して図３に示す位置に来るようになっている。
【００５０】
図３は、可動ミラー２０が退避状態になった直後の可動ミラー駆動機構を表している。ミラー駆動ギヤ１０とミラーアップチャージギヤ１４は、図６の約７０°の位置にいる。ミラーアップチャージレバー１７とミラー駆動レバー１３は、ミラーアップスプリング３１によって一体となって図の位置まで回転させられている。
【００５１】
ミラー駆動レバー１３の時計回り方向への回転によって、その一端部１３ｂは、ミラーコロ２１を押動して可動ミラー２０をミラーダウンスプリング３５に逆らって退避状態まで押し上げている。このとき可動ミラー２０に軸支されている可動サブミラー２４も同時に退避状態まで押し上げられる。可動ミラー２０はミラーアップスプリング３１に蓄えられたエネルギーによって瞬時に動かされるため、非常にすばやい動きとなっている。
【００５２】
退避状態まで押し上げられた可動ミラー２０は、図示していないミラーアップモケットに勢い良くぶつかり跳ね返ろうとしている。この跳ね返りをバウンドと称している。しかしながら、ミラー駆動レバー１３はそのカム接触面１３ａがミラーアップと同時に、またはわずかに遅れてミラー駆動カム１１の平坦部１１ａによって押し上げられるため、バウンドは最小に抑えられて可動ミラー２０が撮影光路内に少しでも入ることを規制している。
【００５３】
バウンド防止部材としてのロックレバー１８は、そのカム接触面１８ａがロックレバーカム１６の下がりカム面１６ｃに沿って、図の位置までロックレバースプリング３３によって押し戻されている。
【００５４】
この状態で、カメラ制御回路は信号基板３４のブラシ１２と各パターン３４ａ，３４ｂ，３４ｃの摺接により、上述したように可動ミラー２０と可動サブミラー２４が撮影光路外へ完全に退避したことを検知し、図示していないシャッターを走行させる。このとき上記モータへの通電は継続し、ミラーアップチャージカム１５の上りカム面１５ａによりミラーアップチャージレバー１７を反時計回り方向へ駆動し、ミラーアップスプリング３１を引伸ばしてチャージし始める。
【００５５】
図４は、ミラーアップ動作が完了した状態の可動ミラー駆動機構を表している。前述したようにブラシ１２が、グランドパターン３４ａと動作終了検知パターン３４ｂと動作状態検知パターン３４ｃのすべてと接触し、動作終了検知パターン３４ｂ、動作状態検知パターン３４ｃの電位がグランドレベルに変化することによりミラーアップ完了を検知する。
【００５６】
カメラ制御回路はミラーアップ完了状態を検知して、モータの回転駆動を停止制御する。モータは瞬時に停止することができず若干のオーバーランを生じることになり、ブラシ１２は動作終了検知パターン３４ｂの切り替わりから若干オーバーランして、図６の約１７０°の位置で停止している。
【００５７】
なお、シャッタースピードが速くシャッター走行時間が短い場合には、上記ミラーアップ完了状態の検知よりシャッター走行完了検知のタイミングが早くなる場合がある。この場合には、カメラ制御回路はモータの通電を継続し可能な限りミラーダウンのタイミングを早くする。
【００５８】
ミラーアップチャージレバー１７は、ミラーアップチャージカム１５の上りカム面１５ａにより反時計方向へ回動して、ミラーアップスプリング３１を引伸ばしてチャージし、ミラーアップチャージカム１５の平坦カム面１５ｂにより図の位置に保持されている。
【００５９】
ミラー駆動レバー１３は、同軸に掛けられているミラー駆動レバースプリング３２によって反時計方向へ付勢されているが、カム接触面である１３ａがミラー駆動カム１１の平坦カム面１１ｂによって支えられていることにより、図の状態で保持されている。
【００６０】
バウンド防止部材であるロックレバー１８は、そのカム接触面１８ａがロックレバーカム１６から離れ、図の位置までロックレバースプリング３３によって押し戻されている。このときロックピン１９は、可動ミラー２０の爪部２０ａの遥動軌跡内に進入している。
【００６１】
次に、可動ミラー駆動機構による可動ミラー２０の下降動作について説明する。
図示していないシャッターの走行完了が検知されると、図示していないモータに通電することによって、ミラー駆動ギヤ１０を反時計回り方向に、ミラーアップチャージギヤ１４を時計回り方向に回転させることによって、可動ミラー２０を退避状態の位置からファインダー観察状態の位置へと駆動する。
【００６２】
すなわち、ミラー駆動ギヤ１０が約１０°反時計回り方向に回転すると、ミラー駆動レバー１３のカム接触面１３ａがミラー駆動カム１１の平坦カム面１１ｂから外れ、下りカム部１１ｃの位相に到達する。ミラー駆動レバー１３は、ミラー駆動カム１１による支えから外れ、ミラー駆動レバースプリング３２によって反時計回り方向に回転を始める。
【００６３】
このミラー駆動レバー１３の反時計回り方向への回転によって、その一端部１３ｂはミラーコロ２１から離れ始める。可動ミラー２０はミラーダウンスプリング３５に押されることにより時計回り方向へ回転し始める。可動サブミラー２４は、回転軸２４ａで可動ミラー２０に軸支されていると共に、回転軸２４ａ近傍の四角孔内に係合する、ミラーボックスの一部に固定されたカム(図示せず)により、可動ミラー２０が観察状態まで下降したときは、可動サブミラー２４は時計回り方向に回転して図５に示す位置に来るようになっている。
【００６４】
図５は、可動ミラー２０がファインダー観察状態の位置に来た直後の可動ミラー駆動機構を表している。ミラー駆動ギヤ１０とミラーアップチャージギヤ１４は、図６の約２７０°の位置にいる。ミラー駆動レバー１３はミラー駆動レバースプリング３２によって押され、図の位置まで回転させられている。
【００６５】
このミラー駆動レバー１３の反時計回り方向への回転によって、その一端部１３ｂはミラーコロ２１から離れるため、可動ミラー２０はミラーダウンスプリング３５によって、ファインダー観察状態の位置まで押し下げられている。
【００６６】
このとき可動ミラー２０に軸支されている可動サブミラー２４も同時に、角度規制部材２５に当接する、退避前の元の位置まで回転させられる。退避状態の位置からファインダー観察状態の位置へ駆動される可動ミラー２０は、ミラーダウンスプリング３５に蓄えられたエネルギーによって瞬時に動かされるため、非常にすばやい動きとなっている。このため、退避状態の位置からファインダー観察状態の位置への可動ミラーの移動速度が遅くてファインダー像が流れるように見えてしまうことを確実に防止することができる。
【００６７】
ファインダー観察状態の位置まで押し下げられた可動ミラー２０は、角度規制部材２２に勢い良くぶつかり跳ね返ろうとしている。しかしながら、バウンド防止部材としてのロックレバー１８はロックレバースプリング３３によって反時計回り方向へ押し戻され、ロックピン１９が可動ミラー２０の爪部２０ａの揺動軌跡内に進入しているため、可動ミラー２０がファインダー観察状態の位置まで押し下げられる際に、その爪部２０ａの外側の傾斜部がロックピン１９を角度規制部材２２側に移動させた後、ロックレバースプリング３３により付勢されて角度規制部材２２と反対側に復帰したロックピン１９が可動ミラー２０の爪部２０ａに係合することにより、可動ミラー２０のバウンドは最小に抑えられる。
【００６８】
この状態で、カメラ制御回路は信号基板３４のブラシ１２が各パターン３４ａ，３４ｂ，３４ｃと摺接することにより、上述したように可動ミラー２０と可動サブミラー２４が、ファインダー観察状態及び図示していないＡＦ光学系に光を導く位置に戻ったことを検知し、ＡＥ，ＡＦの制御動作を開始させる。
【００６９】
このとき上記モータへの通電は継続し、ロックレバーカム１６の上りカム面１６ａによりロックレバー１８を時計回り方向へ駆動し、ロックピン１９を可動ミラー２０の一端部２０ａの揺動軌跡内から外側へ退避させ始める。
【００７０】
モータが回転し続けると、上述したようにブラシ１２がグランドパターン３４ａと動作終了検知パターン３４ｂとの両方と接触し、動作終了検知パターン３４ｂの電位がグランドレベルに変化することにより、カメラ制御回路はミラーダウン完了を検知する。
【００７１】
カメラ制御回路はミラーダウン完了状態を検知して、モータの回転駆動を停止制御する。モータは瞬時に停止することができず若干のオーバーランを生じることになり、ブラシ１２は動作終了検知パターンの切り替わりから若干オーバーランして、０°付近で停止し、図２の状態に戻る。
【００７２】
このような本発明の実施の形態によれば、高価な電磁石構成や複雑なリンク機構を用いなくとも可動ミラーのバウンドを効率的に抑制することができる可動ミラー駆動機構及びカメラを提供することができる。
【図面の簡単な説明】
【００７３】
【図１】本発明の可動ミラー駆動機構及びカメラの一実施の形態を示す斜視図である。
【図２】可動ミラーがファインダー観察状態の位置にあるときの可動ミラー駆動機構を示す正面図である。
【図３】可動ミラーが退避状態の位置になった直後の可動ミラー駆動機構を示す正面図である。
【図４】可動ミラーが退避状態の位置に来る動作が完了した状態にあるときの可動ミラー駆動機構を示す正面図である。
【図５】可動ミラーがファインダー観察状態の位置に来た直後の可動ミラー駆動機構を示す正面図である。
【図６】可動ミラー駆動機構の各部材の動作状態を経時的に示すタイミングチャートである。
【符号の説明】
【００７４】
１０  ミラー駆動ギヤ
１１  ミラー駆動カム
１２  ブラシ
１３  ミラー駆動レバー
１４  ミラーアップチャージギヤ
１５  ミラーアップチャージカム
１６  ロックレバーカム
１７  ミラーアップチャージレバー
１８  ロックレバー
１９  ロックピン
２０  可動ミラー
２１  ミラーコロ
２２  角度規制部材
２３  可動サブミラー反転ピン
２４  可動サブミラー
２５  角度規制部材
３１  ミラーアップスプリング
３２  ミラー駆動レバースプリング
３３  ロックレバースプリング
３４  信号基板
３５  ミラーダウンスプリング
【図１】
2005134766.tif 000003
【図２】
2005134766.tif 000004
【図３】
2005134766.tif 000005
【図４】
2005134766.tif 000006
【図５】
2005134766.tif 000007
【図６】
2005134766.tif 000008